(57)【要約】【課題】従来の感性表現語を用いて検索する装置では、感性語と関連付けられた検索結果を単に出力するにすぎず、検索対象の規模が大きくなるほどユーザの感性に合致しない検索結果となる場合が多い。また、感性には個人差があるため、ユーザに適応した検索結果を得ることは困難を伴う。【解決手段】本発明では、ユーザが検索結果をフィードバックすることで、検索精度を高めるシステムを提案する。視聴後、期待していたコンテンツとの差異をユーザが回答し、その回答の分析を行う。このとき、多数のユーザの嗜好に基づくことで、利用者層、流行、時代の流れに沿ったデータベースを構築できる。また、個々のユーザの検索履歴や、属性情報、フィードバックした情報からユーザの感性の傾向を学習し、個々のユーザの感性に見合った検索を行うことができる。【選択図】            図２
2004199437.tif 000002
【特許請求の範囲】
【請求項１】
コンテンツを識別する情報であるコンテンツ識別情報を、そのコンテンツ識別情報で識別されるコンテンツの視聴により生じる可能性のある感情を表す言葉を含む感性語と関連付けて保持するコンテンツ識別情報保持部と、
コンテンツを検索するための検索ワードを取得するための検索ワード取得部と、
前記検索ワード取得部に取得された検索ワードをその検索ワードの入力者の属性情報に応じて感性語に解釈する検索ワード解釈部と、
前記検索ワード解釈部で得られた感性語を利用して検索されたコンテンツに対応するコンテンツ識別情報である検索結果を出力するための検索結果出力部と、前記検索結果出力部で得られた検索結果に基いて視聴したコンテンツと、前記検索ワード取得部が取得した検索ワードに基いて期待されるコンテンツと、の差異を表す情報である差異情報を含むフィードバック情報を取得するためのフィードバック情報取得部と、
前記フィードバック情報取得部で取得したフィードバック情報に基づいて前記入力者の属性情報を変更する入力者属性変更部と、
を有する検索装置。
【請求項２】
コンテンツを識別する情報であるコンテンツ識別情報を、そのコンテンツ識別情報で識別されるコンテンツの視聴により生じる可能性のある感情を表す言葉を含む感性語と関連付けて保持するコンテンツ識別情報保持部と、
コンテンツを検索するための検索ワードを取得するための検索ワード取得部と、
前記検索ワード取得部に取得された検索ワードをその検索ワードの入力者の属性情報に応じて感性語に解釈する検索ワード解釈部と、
前記検索ワード解釈部で得られた感性語を利用して検索されたコンテンツに対応するコンテンツ識別情報である検索結果を出力するための検索結果出力部と、前記検索結果出力部で得られた検索結果に基いて視聴したコンテンツと、前記検索ワード取得部が取得した検索ワードに基いて期待されるコンテンツと、の差異を表す情報である差異情報を含むフィードバック情報を取得するためのフィードバック情報取得部と、
前記フィードバック情報取得部で取得したフィードバック情報に基づいて前記コンテンツ識別情報保持部でのコンテンツ識別情報と感性語との関連付けを変更するための関連付変更部と、
を有する検索装置。
【請求項３】
コンテンツを識別する情報であるコンテンツ識別情報を、そのコンテンツ識別情報で識別されるコンテンツ視聴により生じる可能性のある感情を表す言葉を含む感性語と関連付けて保持するコンテンツ識別情報保持部と、
コンテンツを検索するための検索ワードを取得するための検索ワード取得部と、
前記検索ワード取得部が取得した検索ワードをその検索ワードの入力者の属性情報と、検索ワードを検索のために解釈するための情報である解釈情報と、に応じて感性語に解釈する検索ワード解釈部と、
前記検索ワード解釈部で得られた感性語を利用して検索されたコンテンツに対応するコンテンツ識別情報である検索結果を出力するための検索結果出力部と、前記検索結果出力部で得られた検索結果に基いて視聴したコンテンツと、前記検索ワード取得部が取得した検索ワードに基いて期待されるコンテンツと、の差異を表す情報である差異情報を含むフィードバック情報を取得するためのフィードバック情報取得部と、
前記フィードバック情報取得部で取得したフィードバック情報に基づいて前記解釈情報を変更する解釈情報変更部と、
を有する検索装置。
【請求項４】
コンテンツ識別情報と、コンテンツとを関連付けて蓄積するコンテンツ蓄積部と、
前記コンテンツ蓄積部に蓄積されたコンテンツを検索するための検索ワードを入力するための検索ワード入力部と、
前記検索ワード入力部に入力された検索ワードを請求項１から３いずれか一に記載の検索装置に対して出力する検索ワード出力部と、
前記検索ワード出力部で出力された検索ワードに対して前記検索装置から取得する検索結果を取得する検索結果取得部と、
前記検索結果取得部で取得した検索結果に基いて前記コンテンツ蓄積部からコンテンツを取得するコンテンツ取得部と、
を有するコンテンツ出力装置。
【請求項５】
コンテンツを検索するための検索ワードを取得するための検索ワード取得ステップと、
前記検索ワード取得ステップにて取得された検索ワードをその検索ワードの入力者の属性情報に応じて感性語に解釈する検索ワード解釈ステップと、
前記検索ワード解釈ステップで得られた感性語を利用して検索されたコンテンツに対応するコンテンツ識別情報である検索結果を出力するための検索結果出力ステップと、
前記検索結果出力ステップにて得られた検索結果に基いて視聴したコンテンツと、前記検索ワード取得ステップにて取得した検索ワードに基いて期待されるコンテンツと、の差異を表す情報である差異情報を含むフィードバック情報を取得するためのフィードバック情報取得ステップと、
前記フィードバック情報取得ステップで取得したフィードバック情報に基づいて前記入力者の属性情報を変更する入力者属性変更ステップと、
からなる検索方法。
【請求項６】
コンテンツを検索するための検索ワードを取得するための検索ワード取得ステップと、
前記検索ワード取得ステップにて取得された検索ワードをその検索ワードの入力者の属性情報に応じて感性語に解釈する検索ワード解釈ステップと、
前記検索ワード解釈ステップで得られた感性語を利用して検索されたコンテンツに対応するコンテンツ識別情報である検索結果を出力するための検索結果出力ステップと、
前記検索結果出力ステップにて得られた検索結果に基いて視聴したコンテンツと、前記検索ワード取得ステップにて取得した検索ワードに基いて期待されるコンテンツと、の差異を表す情報である差異情報を含むフィードバック情報を取得するためのフィードバック情報取得ステップと、
前記フィードバック情報取得ステップで取得したフィードバック情報に基づいて、コンテンツ識別情報と感性語との関連付けを変更するための関連付変更ステップと、
からなる検索方法。
【請求項７】
コンテンツを検索するための検索ワードを取得するための検索ワード取得ステップと、
前記検索ワード取得ステップが取得した検索ワードをその検索ワードの入力者の属性情報と、検索ワードを検索のために解釈するための情報である解釈情報と、に応じて感性語に解釈する検索ワード解釈ステップと、
前記検索ワード解釈ステップで得られた感性語を利用して検索されたコンテンツに対応するコンテンツ識別情報である検索結果を出力するための検索結果出力ステップと、
前記検索結果出力ステップにて得られた検索結果に基いて視聴したコンテンツと、前記検索ワード取得ステップにて取得した検索ワードに基いて期待されるコンテンツと、の差異を表す情報である差異情報を含むフィードバック情報を取得するためのフィードバック情報取得ステップと、
前記フィードバック情報取得ステップで取得したフィードバック情報に基づいて前記解釈情報を変更する解釈情報変更ステップと、
からなる検索方法。
【発明の詳細な説明】
【０００１】
【発明の属する技術分野】
本発明は検索装置に関するものである。
【０００２】
【従来の技術】
従来、音楽データベースから楽曲名や、アーティスト名等に代えて、感性表現語を用いて検索する検索装置はある（特許文献１、２参照。）。
【０００３】
【特許文献１】
特開２００１−３０６５８０号公報
【０００４】
【特許文献２】
特開２００１−３５７０６６号公報
【０００５】
【発明が解決しようとする課題】
しかし、従来の検索装置では、感性語と関連付けられた検索結果を単に出力するにすぎず、検索対象の規模が大きくなるほどユーザの感性に合致しない選曲となる場合も多い。また、感性には個人差があるため、ユーザに適応した検索結果を得ることは困難を伴うという課題がある。
【０００６】
【課題を解決するための手段】
本発明では、この課題を解決するために、ユーザが期待しているコンテンツから得られる感情と、検索結果に基づいて視聴したコンテンツから得られる感情との差異をフィードバックすることで、検索精度を高めるシステムを提案する。視聴した結果、検索に用いた感性語がコンテンツの印象に当てはまると感じたかどうかをユーザが回答することで、検索の精度が高まる。また、個々のユーザの検索履歴や、フィードバックした情報からユーザの感性の傾向を学習し、個々のユーザの感性に見合った検索を行うことができる。
【０００７】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００８】
実施形態１は、主に請求項１、５などについて説明する。
【０００９】
実施形態２は、主に請求項２、６などについて説明する。
【００１０】
実施形態３は、主に請求項３、７などについて説明する。
【００１１】
実施形態４は、主に請求項４などについて説明する。
＜＜実施形態１＞＞
【００１２】
＜実施形態１：概要＞
【００１３】
実施形態１について説明する。本実施形態は、感性語を用いてコンテンツの検索を行い、その検索結果に基づいて視聴したコンテンツから得られる感情と、ユーザが期待しているコンテンツから得られる感情との差異を入力者の属性情報としてフィードバックする検索装置である。
【００１４】
図１は、本実施形態の概念の一例を示すものである。本発明の検索装置の利用者Ａは、視聴するコンテンツを検索するために、検索ワードを入力する。検索装置は、検索ワードを解釈してコンテンツの検索を行う。
【００１５】
ここでは一例として、利用者Ａが「明るい」という語を入力した場面を示した。検索装置には、明暗の段階ごとに感性語とコンテンツの識別情報とが関連付けられて、保持されている。今、明暗の「明」側から５段階が検索ワード「明るい」に合致すると解釈し、感性語「明るい」を用いて、検索結果としてコンテンツＸの識別情報を出力する。この検索結果に基づいて、コンテンツＸの視聴を行った利用者Ａは、期待していたコンテンツとの差異を検索装置にフィードバックする。例えば、利用者Ａは、「検索結果に基づいて視聴したコンテンツは、暗い印象を受けた。もっと明るいコンテンツを希望する。」等の情報をフィードバックする。それを受けて、検索装置は、利用者Ａの属性情報に対して「明暗の段階のうち「明」側から３段階以内が検索ワード「明るい」に合致」との変更を加え、以降の検索処理がより適切になされるようにする。
【００１６】
次の機会で、利用者Ａが再度「明るい」という語を入力した場合には、変更が加えられた利用者Ａの属性情報により、検索を行う。この改善された属性情報により、確度の高い検索が可能となることが期待される。さらに、検索の結果得られたコンテンツと、期待していたコンテンツとの差異も同様に検索装置にフィードバックする。フィードバックの処理を繰り返すことにより、検索の精度が自動的に上がり、利用者Ａの嗜好に近似する検索結果が得られるようになる。
【００１７】
＜実施形態１：構成＞
【００１８】
本実施形態での機能ブロックの一例を図２に示した。
【００１９】
図２に示す本実施形態の「検索装置」（０２００）は、「コンテンツ識別情報保持部」（０２０１）と、「検索ワード取得部」（０２０２）と、「検索ワード解釈部」（０２０３）と、「検索結果出力部」（０２０４）と、「フィードバック情報取得部」（０２０５）と、「入力者属性変更部」（０２０６）とからなる。
【００２０】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２１】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００２２】
「コンテンツ識別情報保持部」（０２０１）は、コンテンツ識別情報を、感性語と関連付けて保持する。「コンテンツ」は、画像（動画・静止画）、音声、テキストなどによって構成されている情報であり、「コンテンツ識別情報」は、そのコンテンツを識別する情報である。「感性語」は、そのコンテンツ識別情報で識別されるコンテンツの視聴により生じる可能性のある感情を表す言葉を含む語である。具体的には、「楽しい」、「遅い」、「優しい」などが該当する。また、感性語は言葉に限定されるものではなく、数値データであってもよい。一の感性語に複数のコンテンツ識別情報が関連付けて保持される。一方、コンテンツを視聴することにより生じる可能性のある感情は一意的に定まるものではないので、一のコンテンツに複数の感性語が関連付けられる場合もある。
【００２３】
「検索ワード取得部」（０２０２）は、検索ワードを取得するための処理を行う。「検索ワード」は、コンテンツを検索するために用いられる語であり、感性語と同じである場合もあるし、異なる場合もある。取得は、検索装置の利用者によって入力される場合や、後述するコンテンツ出力装置から出力される場合などが想定される。
【００２４】
「検索ワード解釈部」（０２０３）は、前記検索ワード取得部（０２０２）に取得された検索ワードをその検索ワードの入力者の属性情報に応じて感性語に解釈する。「入力者の属性情報」は、入力者の感性の傾向を示す情報である。例えば、Ａさんは明るいコンテンツの感じ方が弱く、暗いコンテンツの感じ方が強い等の判断により得られる情報が該当する。また、属性情報には、入力者の年齢、性別、住所等といった入力者の個人情報も含まれる場合がある。属性情報は、予め利用者等が入力しておくとしてもよい。また、属性情報は検索装置に保持されており、利用者が検索を行う際に、利用者各人の属性情報が自動的に用いられて、感性語への解釈が行われる場合が想定される。
【００２５】
「解釈」は、取得した検索ワードを、属性情報に応じて最も近似する感性語を検出する。検索ワードが例えば、「陽気」である場合、先の例の属性情報に照らして、最も近似する感性語への解釈を行うことが必要となる。検索ワード「陽気」は、明暗の判断基準の中間地点よりも「やや明」よりに位置する「楽しい」を感性語として解釈する。ここでは、検索ワードと感性語とが異なるものと解釈されたが、同一のものであってもよい。
【００２６】
「検索結果出力部」（０２０４）は、前記検索ワード解釈部（０２０３）で得られた感性語を利用して検索されたコンテンツに対応するコンテンツ識別情報である検索結果を出力するための処理を行う。「出力するための処理」には、検索結果を後述するコンテンツ出力装置に出力する場合の他、コンテンツ識別情報が列挙されて表示画面、プリントアウト等により出力される場合や、コンテンツが視聴可能に再生される場合も含まれるとしてもよい。また、出力される検索結果は、一の結果である場合に限られず、複数のコンテンツ識別情報が出力されるとしてもよい。そのとき、利用者の期待するコンテンツに近似する度合いでもって、順位付けをし、ランキング形式にて出力するとしてもよい。
【００２７】
「フィードバック情報取得部」（０２０５）は、フィードバック情報を取得するための処理を行う。「フィードバック情報」は、前記検索結果出力部（０２０４）で得られた検索結果に基いて視聴したコンテンツから得られる感情と、前記検索ワード取得部（０２０２）が取得した検索ワードに基いて期待されるコンテンツから得られる感情と、の差異を表す情報である差異情報を含む情報である。
【００２８】
例えば、具体的には、Ａさんが「陽気」について期待していたコンテンツのイメージに対して、感性語「楽しい」で検索して得られたコンテンツのイメージとの差異がある場合を想定する。検索して得られたコンテンツの方が、「暗いイメージで、さらにその段階としては２段階の差がある」等の情報が差異情報であり、さらに、「希望するコンテンツは軽いイメージのコンテンツ」の所感等により、フィードバック情報が構成される場合もある。またその他としては、各コンテンツを視聴した感想等を、回帰分析などを用いて数値化し、その差分を差異情報とする場合などもある。
【００２９】
「取得」は、主に利用者の入力等によって行われる。検索装置のモニタにフィードバック情報を入力するための画面が表示され、画面の表示に応じて利用者が入力できるとすれば便利である。例えば、スクロールバーが用意されていれば、先の例での明暗の段階の調節も容易に行うことができる。
【００３０】
「入力者属性変更部」（０２０６）は、前記フィードバック情報取得部（０２０５）で取得したフィードバック情報に基づいて前記入力者の属性情報を変更する。具体的には、先のフィードバック情報に基づいて、Ａさんの属性情報を、「明暗の段階のうち「明」側から３段階以内が検索ワード「明るい」に合致」との変更を加え、以降の検索処理がより適切になされるようにする。
【００３１】
上記フィードバックの処理を繰り返すことにより、検索の精度が自動的に上がり、利用者Ａの嗜好に近似する検索結果が得られるようになる。
【００３２】
＜実施形態１：処理の流れ＞
【００３３】
図３は、実施形態１での処理の流れの一例を示したものである。本実施形態における検索方法は、以下に示すステップよりなる。
【００３４】
まず、コンテンツを検索するための検索ワードを取得するための処理を行う（検索ワード取得ステップ  Ｓ０３０１）。
【００３５】
次に、前記検索ワード取得ステップ（Ｓ０３０１）にて取得された検索ワードをその検索ワードの入力者の属性情報に応じて感性語に解釈する（検索ワード解釈ステップ  Ｓ０３０２）。
【００３６】
前記検索ワード解釈ステップ（Ｓ０３０２）で得られた感性語を利用して検索されたコンテンツに対応するコンテンツ識別情報である検索結果を出力するための処理を行う（検索結果出力ステップ  Ｓ０３０３）。
【００３７】
前記検索結果出力ステップ（Ｓ０３０３）にて得られた検索結果に基いて視聴したコンテンツから得られる感情と、前記検索ワード取得ステップにて取得した検索ワードに基いて期待されるコンテンツから得られる感情と、の差異を表す情報である差異情報を含むフィードバック情報を取得するための処理を行う（フィードバック情報取得ステップ  Ｓ０３０４）。
【００３８】
前記フィードバック情報取得ステップ（Ｓ０３０４）で取得したフィードバック情報に基づいて前記入力者の属性情報を変更する（入力者属性変更ステップ  Ｓ０３０５）。
【００３９】
以上の処理は、計算機に実行させるためのプログラムで実行することができ、また、このプログラムを計算機によって読み取り可能な記録媒体に記録することができる。（本明細書の全体を通して同様である。）
【００４０】
＜実施形態１：効果＞
【００４１】
本発明における検索装置は、感性語を用いてコンテンツの検索を行うことを可能にし、また、フィードバックの機能により、その検索精度を向上させるという効果を有する。また、フィードバックを繰り返すことにより、つまり、本検索装置を利用すればするほど、その検索精度は向上するため、検索装置の利用度が高まることが期待される。
【００４２】
さらに、感性には個人差があるが、本件の検索装置においては、各人の感性の傾向に適応した検索ができる。これにより、利用者は自己のイメージで検索するだけで、自分の感性や嗜好に合致する検索結果が得られるため、便利である。
＜＜実施形態２＞＞
【００４３】
＜実施形態２：概要＞
【００４４】
実施形態２について説明する。本実施形態は、感性語を用いてコンテンツの検索を行い、その検索結果に基づいて視聴したコンテンツから得られる感情と、ユーザが期待しているコンテンツから得られる感情との差異をコンテンツ識別情報と感性語との関連付けを変更するためにフィードバックする検索装置である。
【００４５】
＜実施形態２：構成＞
【００４６】
本実施形態での機能ブロックの一例を図４に示した。
【００４７】
図４に示す本実施形態の「検索装置」（０４００）は、「コンテンツ識別情報保持部」（０４０１）と、「検索ワード取得部」（０４０２）と、「検索ワード解釈部」（０４０３）と、「検索結果出力部」（０４０４）と、「フィードバック情報取得部」（０４０５）と、さらに、「関連付変更部」（０４０６）とからなる。
【００４８】
「関連付変更部」（０４０６）は、フィードバック情報取得部（０４０５）で取得したフィードバック情報に基づいて前記コンテンツ識別情報保持部（０４０１）でのコンテンツ識別情報と感性語との関連付けを変更するための処理を行う。例えば、フィードバック情報が「検索して得られたコンテンツは、（期待していたものより）暗い」である場合には、そのコンテンツと関連付けられた感性語を現在の感性語よりも暗いイメージを与える語に変更する。多くの利用者が利用することにより、コンテンツ識別情報と、感性語の関連付けが多数派の嗜好に合致し、より一般化することが想定される。
【００４９】
また、利用者の属性情報に含まれる年齢や、性別、職業等の情報についてのカテゴリー別にフィードバック情報で関連付けの変更処理ができるとすると、それぞれのカテゴリー内の検索結果によれば、個人の感性の差を縮めることが期待できる。つまり、検索ワード「元気な」で得られるコンテンツが、若い年齢層にとっては心地よく感じられても、年配者にとってはうるさく感じられる場合がある。このとき、利用者の属性情報（自身に適切な年齢のカテゴリーなど）に基づいて、自身の感性に合致するコンテンツが得られる可能性が高くなるので、利用者にとっては便利である。
【００５０】
その他の各部の処理は、実施形態１と同様である。
【００５１】
＜実施形態２：処理の流れ＞
【００５２】
図５は、実施形態２での処理の流れの一例を示したものである。本実施形態における検索方法は、以下に示すステップよりなる。
【００５３】
まず、コンテンツを検索するための検索ワードを取得するための処理を行う（検索ワード取得ステップ  Ｓ０５０１）。
【００５４】
次に、前記検索ワード取得ステップ（Ｓ０５０１）にて取得された検索ワードをその検索ワードの入力者の属性情報に応じて感性語に解釈する（検索ワード解釈ステップ  Ｓ０５０２）。
【００５５】
前記検索ワード解釈ステップ（Ｓ０５０２）で得られた感性語を利用して検索されたコンテンツに対応するコンテンツ識別情報である検索結果を出力するための処理を行う（検索結果出力ステップ  Ｓ０５０３）。
【００５６】
前記検索結果出力ステップ（Ｓ０５０３）にて得られた検索結果に基いて視聴したコンテンツから得られる感情と、前記検索ワード取得ステップにて取得した検索ワードに基いて期待されるコンテンツから得られる感情と、の差異を表す情報である差異情報を含むフィードバック情報を取得するための処理を行う（フィードバック情報取得ステップ  Ｓ０５０４）。
【００５７】
前記フィードバック情報取得ステップ（Ｓ０５０４）で取得したフィードバック情報に基づいて、コンテンツ識別情報と感性語との関連付けを変更するための処理を行う（関連付変更ステップ  Ｓ０５０５）。
【００５８】
＜実施形態２：効果＞
【００５９】
本発明における検索装置は、フィードバックの機能により、コンテンツ識別情報と感性語との関連付けを変更する。ここでは、個人に特化せず、万人に対して検索処理機能向上が図られる。多くの利用者に利用され、フィードバックを繰り返すほど、検索精度を向上させることができる。また、多数の利用者の嗜好に基づくために、利用者層、流行、時代の流れに沿ったデータベースが構築される。
【００６０】
また、利用者の属性情報に含まれる年齢や、性別等の情報についてのカテゴリー別にフィードバック情報で関連付けの変更処理ができるとすると、それぞれのカテゴリー内の検索結果によることで、自身の感性に合致するコンテンツが得られる可能性が高くなるので、利用者にとっては便利である。
＜＜実施形態３＞＞
【００６１】
＜実施形態３：概要＞
【００６２】
実施形態３について説明する。本実施形態は、感性語を用いてコンテンツの検索を行い、その結果を解釈情報としてフィードバックする検索装置である。
【００６３】
＜実施形態３：構成＞
【００６４】
本実施形態での機能ブロックの一例を図６に示した。
【００６５】
図６に示す本実施形態の「検索装置」（０６００）は、「コンテンツ識別情報保持部」（０６０１）と、「検索ワード取得部」（０６０２）と、「検索ワード解釈部」（０６０３）と、「検索結果出力部」（０６０４）と、「フィードバック情報取得部」（０６０５）と、「解釈情報変更部」（０６０６）とからなる。
【００６６】
「検索ワード解釈部」（０６０３）は、検索ワード取得部（０６０２）が取得した検索ワードをその検索ワードの入力者の属性情報と、解釈情報と、に応じて感性語に解釈する。「解釈情報」は、検索ワードを検索のために用いられる感性語として解釈するための情報である。解釈情報は、例えば、検索ワードとは系統を異にする感性に関する情報等の場合がある。具体的には、検索ワード「暗い」に対して、解釈情報として「騒がしい／静かの度合い、軽い／重いの度合い」等が該当する。多方面からの情報により、検索の精度を上げることを可能とする。
解釈情報には、視聴したコンテンツ自体を感性語として解釈するための情報も含まれる場合がある。例えば、視聴したコンテンツに関連付けられた感性語を用いて、検索ワードを新たな感性語として解釈することなどが該当する。これによれば、コンテンツに類似するコンテンツをも検索することが可能となる。
【００６７】
「解釈情報変更部」（０６０６）は、フィードバック情報取得部（０６０５）で取得したフィードバック情報に基づいて前記解釈情報を変更する。フィードバック情報に基づいて、例えば先の例では、解釈情報の軽重の度合いを変更する場合などが該当する。また、すでに視聴したコンテンツを検索ワードの解釈に用いて再検索を行うことができるとしてもよい。その場合には、差分の検索を繰り返すことにより、検索機能の向上が図られる。
【００６８】
＜実施形態３：処理の流れ＞
【００６９】
図７は、実施形態３での処理の流れの一例を示したものである。本実施形態における検索方法は、以下に示すステップよりなる。
【００７０】
まず、コンテンツを検索するための検索ワードを取得するための処理を行う（検索ワード取得ステップ  Ｓ０７０１）。
【００７１】
次に、前記検索ワード取得ステップ（Ｓ０７０１）にて取得した検索ワードをその検索ワードの入力者の属性情報と、検索ワードを検索のために解釈するための情報である解釈情報と、に応じて感性語に解釈する（検索ワード解釈ステップ
Ｓ０７０２）。
【００７２】
前記検索ワード解釈ステップ（Ｓ０７０２）で得られた感性語を利用して検索されたコンテンツに対応するコンテンツ識別情報である検索結果を出力するための処理を行う（検索結果出力ステップ  Ｓ０７０３）。
【００７３】
前記検索結果出力ステップ（Ｓ０７０３）にて得られた検索結果に基いて視聴したコンテンツから得られる感情と、前記検索ワード取得ステップ（Ｓ０７０１）にて取得した検索ワードに基いて期待されるコンテンツから得られる感情と、の差異を表す情報である差異情報を含むフィードバック情報を取得するための処理を行う（フィードバック情報取得ステップ  Ｓ０７０４）。
【００７４】
前記フィードバック情報取得ステップ（Ｓ０７０４）にて取得したフィードバック情報に基づいて前記解釈情報を変更する（解釈情報変更ステップ  Ｓ０７０５）。
【００７５】
＜実施形態３：効果＞
【００７６】
本発明における検索装置は、検索ワードをその入力者の属性情報と、解釈情報とに応じて感性語に解釈し、検索精度を向上させるという効果を有する。解釈情報により、多方面からの情報を用いることでき、細やかな検索が実行できる。
＜＜実施形態４＞＞
【００７７】
＜実施形態４：概要＞
【００７８】
実施形態４について説明する。本実施形態は、検索結果に基づいて感性語を用いてコンテンツの検索を行い、その結果を解釈情報としてフィードバックする検索装置である。
【００７９】
＜実施形態４：構成＞
【００８０】
本実施形態での機能ブロックの一例を図８に示した。
【００８１】
図８に示す本実施形態の「コンテンツ出力装置」（０８００）は、「コンテンツ蓄積部」（０８０１）と、「検索ワード入力部」（０８０２）と、「検索ワード出力部」（０８０３）と、「検索結果取得部」（０８０４）と、「コンテンツ取得部」（０８０５）とからなる。
【００８２】
「コンテンツ蓄積部」（０８０１）は、コンテンツ識別情報と、コンテンツとを関連付けて蓄積する。
【００８３】
「検索ワード入力部」（０８０２）は、前記コンテンツ蓄積部（０８０１）に蓄積されたコンテンツを検索するための検索ワードを入力するための処理を行う。
【００８４】
「検索ワード出力部」（０８０３）は、前記検索ワード入力部（０８０２）に入力された検索ワードを検索装置に対して出力する。
【００８５】
「検索結果取得部」（０８０４）は、前記検索ワード出力部（０８０３）で出力された検索ワードに対して前記検索装置から取得する検索結果を取得する。検索結果として、検索装置からはコンテンツ識別情報が出力される。
【００８６】
「コンテンツ取得部」（０８０５）は、前記検索結果取得部（０８０４）で取得した検索結果に基いて前記コンテンツ蓄積部（０８０１）からコンテンツを取得する。取得したコンテンツは、コンテンツ出力装置で再生等行う場合もある。
【００８７】
コンテンツ出力装置は、実施形態１、２、３で示した検索装置に付随して利用されるものである。また、コンテンツ出力装置として別個に存在せず、検索装置に内在して機能する場合もある。
【００８８】
＜実施形態４：効果＞
【００８９】
本発明におけるコンテンツ出力装置は、検索装置の検索結果に基づいて、コンテンツの取得を行う。コンテンツを蓄積する場合、相当の容量が必要となるため、装置の負荷が過大になる。しかし、本実施形態におけるコンテンツ出力装置を設置し、コンテンツの蓄積と検索機能とを別個にすることで、装置の負荷を減らし、検索装置では検索機能の向上が図られる。
【発明の効果】
本発明における検索装置は、感性語を用いてコンテンツの検索を行うことを可能にし、また、フィードバックの機能により、その検索精度を向上させるという効果を有する。また、フィードバックを繰り返すことにより、つまり、本検索装置を利用すればするほど、その検索精度は向上するため、検索装置の利用度が高まることが期待される。
【００９０】
さらに、感性には個人差があるが、本件の検索装置においては、各人の感性の傾向に適応した検索ができる。これにより、利用者は自己のイメージで検索するだけで、自分の感性や嗜好に合致する検索結果が得られるため、便利である。
【図面の簡単な説明】
【図１】実施形態１を説明するための概念図
【図２】実施形態１を説明するための機能ブロック図
【図３】実施形態１の処理の流れを説明する図
【図４】実施形態２を説明するための機能ブロック図
【図５】実施形態２の処理の流れを説明する図
【図６】実施形態３を説明するための機能ブロック図
【図７】実施形態３の処理の流れを説明する図
【図８】実施形態４を説明するための機能ブロック図
【符号の説明】
０２００    検索装置
０２０１    コンテンツ識別情報保持部
０２０２    検索ワード取得部
０２０３    検索ワード解釈部
０２０４    検索結果出力部
０２０５    フィードバック情報取得部
０２０６    入力者属性変更部
【図１】
2004199437.tif 000003
【図２】
2004199437.tif 000004
【図３】
2004199437.tif 000005
【図４】
2004199437.tif 000006
【図５】
2004199437.tif 000007
【図６】
2004199437.tif 000008
【図７】
2004199437.tif 000009
【図８】
2004199437.tif 000010